(57)【要約】【課題】  被訓練者に合わせて、効果的な訓練を行うことができる眼機能訓練装置を提供する。【解決手段】  被訓練眼に対して画像を表示する画像表示部と、被訓練眼の屈折力を測定する測定部と、画像表示部を、被訓練眼の光軸方向と輻輳方向との少なくとも一方に往復移動させる移動部と、測定部により測定した屈折力に基づいて、移動部による画像表示部の往復移動の移動条件を変更させる制御部とを備える。【選択図】      図１
2005198719.tif 000002
【特許請求の範囲】
【請求項１】
被訓練眼に対して画像を表示する画像表示部と、
前記被訓練眼の屈折力を測定する測定部と、
前記画像表示部を、前記被訓練眼の光軸方向と輻輳方向との少なくとも一方に往復移動させる移動部と、
前記測定部により測定した前記屈折力に基づいて、前記移動部による前記画像表示部の移動条件を変更させる制御部と
を備えたことを特徴とする眼機能訓練装置。
【請求項２】
請求項１に記載の眼機能訓練装置において、
前記制御部は、前記移動条件として、前記移動部による前記画像表示部の往復移動の振幅と往復移動の中心と往復移動の速度との少なくとも一つを変更させる
ことを特徴とする眼機能訓練装置。
【請求項３】
表示形態が変更可能な絵柄を含む画像を、被訓練眼に対して表示する画像表示部と、
前記被訓練眼の屈折力を測定する測定部と、
前記画像表示部が表示する前記画像における前記絵柄の表示形態を変更させる固定された画像変更部と、
前記測定部により測定した前記屈折力に基づいて、前記画像変更部を制御する制御部と
を備えたことを特徴とする眼機能訓練装置。
【請求項４】
請求項３に記載の眼機能訓練装置において、
前記画像変更部は、前記表示形態として、前記絵柄の形と明るさと色と前記画像における前記絵柄の位置との少なくとも一つを変更させる
ことを特徴とする眼機能訓練装置。
【請求項５】
被訓練眼に対して画像を表示する画像表示部と、
前記画像表示部を、前記被訓練眼の光軸方向と輻輳方向との少なくとも一方に往復移動させる移動部と、
前記移動部による前記画像表示部の移動条件を変更させるユーザの指示を受け付ける受付部と、
前記受付部により受け付けた前記ユーザの指示にしたがって、前記移動部を制御する制御部と
を備えたことを特徴とする眼機能訓練装置。
【請求項６】
請求項５に記載の眼機能訓練装置において、
前記制御部による変更の内容を記録する記録部をさらに備える
ことを特徴とする眼機能訓練装置。
【請求項７】
表示形態が変更可能な絵柄を含む画像を、被訓練眼に対して表示する画像表示部と、
前記画像表示部が表示する前記画像における前記絵柄の表示位置と表示形態との少なくとも一方を変更させる画像変更部と、
前記画像変更部による前記絵柄の表示位置変更の範囲と前記絵柄の表示位置変更の範囲の中心と前記絵柄の表示位置変更の速度との少なくとも一つを変更させるユーザの指示を受け付ける受付部と、
前記受付部により受け付けた前記ユーザの指示にしたがって、前記絵柄の変更の範囲と前記絵柄の変更の範囲の中心と前記絵柄の変更の速度との少なくとも一つを変更させる制御部と
を備えたことを特徴とする眼機能訓練装置。
【請求項８】
請求項７に記載の眼機能訓練装置において、
前記制御部による変更の内容を記録する記録部をさらに備える
ことを特徴とする眼機能訓練装置。
【発明の詳細な説明】
【技術分野】
【０００１】
本発明は、眼機能を訓練するための眼機能訓練装置に関する。
【背景技術】
【０００２】
従来より、被訓練眼の毛様体筋の運動を促すことにより眼機能を訓練するための眼機能訓練装置や眼調節力回復装置が知られている（例えば、特許文献１参照）。このような装置では、被訓練眼に対して視標を提示しつつ、この視標を移動することにより、被訓練眼の毛様体筋の運動を促すことが行われている。
【特許文献１】特開２０００−７０３１７号公報
【発明の開示】
【発明が解決しようとする課題】
【０００３】
しかし、前述した装置では、同じ動きで繰り返し視標を移動することにより訓練を行っている。すなわち、訓練時の被訓練眼の状態や、被訓練者の体調などに無関係に、同じ動きが繰り返される。そのため、訓練の内容が単調になり、さらに、被訓練眼に負荷をかけることにより効果が上がる場合でも同じ動きを繰り返すのみである。
本発明の目的は、被訓練者に合わせて、効果的な訓練を行うことができる眼機能訓練装置を提供することである。
【課題を解決するための手段】
【０００４】
請求項１に記載の眼機能訓練装置は、被訓練眼に対して画像を表示する画像表示部と、前記被訓練眼の屈折力を測定する測定部と、前記画像表示部を、前記被訓練眼の光軸方向と輻輳方向との少なくとも一方に往復移動させる移動部と、前記測定部により測定した前記屈折力に基づいて、前記移動部による前記画像表示部の移動条件を変更させる制御部とを備えたことを特徴とする。
【０００５】
請求項２に記載の眼機能訓練装置は、請求項１に記載の眼機能訓練装置において、前記制御部は、前記移動条件として、前記移動部による前記画像表示部の往復移動の振幅と往復移動の中心と往復移動の速度との少なくとも一つを変更させることを特徴とする。
請求項３に記載の眼機能訓練装置は、表示形態が変更可能な絵柄を含む画像を、被訓練眼に対して表示する画像表示部と、前記被訓練眼の屈折力を測定する測定部と、前記画像表示部が表示する前記画像における前記絵柄の表示形態を変更させる固定された画像変更部と、前記測定部により測定した前記屈折力に基づいて、前記画像変更部を制御する制御部とを備えたことを特徴とする。
【０００６】
請求項４に記載の眼機能訓練装置は、請求項３に記載の眼機能訓練装置において、前記画像変更部は、前記表示形態として、前記絵柄の形と明るさと色と前記画像における前記絵柄の位置との少なくとも一つを変更させることを特徴とする。
請求項５に記載の眼機能訓練装置は、被訓練眼に対して画像を表示する画像表示部と、前記画像表示部を、前記被訓練眼の光軸方向と輻輳方向との少なくとも一方に往復移動させる移動部と、前記移動部による前記画像表示部の移動条件を変更させるユーザの指示を受け付ける受付部と、前記受付部により受け付けた前記ユーザの指示にしたがって、前記移動部を制御する制御部とを備えたことを特徴とする。
【０００７】
請求項６に記載の眼機能訓練装置は、請求項５に記載の眼機能訓練装置において、前記制御部による変更の内容を記録する記録部をさらに備えることを特徴とする。
請求項７に記載の眼機能訓練装置は、表示形態が変更可能な絵柄を含む画像を、被訓練眼に対して表示する画像表示部と、前記画像表示部が表示する前記画像における前記絵柄の表示位置と表示形態との少なくとも一方を変更させる画像変更部と、前記画像変更部による前記絵柄の表示位置変更の範囲と前記絵柄の表示位置変更の範囲の中心と前記絵柄の表示位置変更の速度との少なくとも一つを変更させるユーザの指示を受け付ける受付部と、前記受付部により受け付けた前記ユーザの指示にしたがって、前記絵柄の変更の範囲と前記絵柄の変更の範囲の中心と前記絵柄の変更の速度との少なくとも一つを変更させる制御部とを備えたことを特徴とする。
【０００８】
請求項８に記載の眼機能訓練装置は、請求項７に記載の眼機能訓練装置において、前記制御部による変更の内容を記録する記録部をさらに備えることを特徴とする。
【発明の効果】
【０００９】
本発明によれば、被訓練者に合わせて、効果的な訓練を行うことができる。
【発明を実施するための最良の形態】
【００１０】
《第１実施形態》
以下、図面を用いて本発明の第１実施形態について説明する。
眼機能訓練装置１は、図１に示すように、被訓練眼０に対して画像を表示する表示器２、制御部３、ダイクロイックミラー４、被訓練眼０の屈折力を測定する屈折力測定部５、凸レンズ６を備える。制御部３は、ＣＰＵおよびその動作に使用されるメモリを備えた回路などからなる。また、制御部３と屈折力測定部５とは相互に接続される。ダイクロイックミラー４は、可視光を反射し、赤外光を透過する。
【００１１】
また、眼機能訓練装置１は、表示器移動機構７、モータ８を備える。表示器２およびモータ８は、制御部３とそれぞれ接続される。モータ８は、制御部３の指示にしたがって表示器移動機構７を駆動する。表示器移動機構７は、表示器２を図１矢印ａの方向に往復移動させる（詳細は後述する）。
表示器２は、小型液晶ディスプレイなど、被訓練眼０に対して眼機能訓練用の画像などを表示する表示器である。なお、表示器２からの光束は、凸レンズ６において略平行な光束に変換されてからダイクロイックミラー４で反射され、被訓練眼０に入射する。したがって、被訓練者は、凸レンズ６を介して表示器を目視することになるので、表示器２を実際の位置よりも遠方にあるように目視することになる。以下では、表示器２の配置位置などについて説明する際、被訓練眼０から見た表示器２の見かけの配置位置に着目して説明を行う。なお、被訓練眼０と表示器２とを結ぶ光路は、図１に示すように、ダイクロイックミラー４により直角に曲げられているので、表示器２を図１矢印ａの方向に往復移動させることと、表示器２を被訓練眼０の光軸方向に往復移動させることとは等価である。なお、被訓練眼０の光軸は、被訓練眼０の視軸と同じである。
【００１２】
屈折力測定部５は、一般にオートレフと呼ばれ、赤外光を用いた検影法により被訓練眼０の屈折力を測定する。屈折力測定部５は、まず、赤外光を被訓練眼０に対して射出する。屈折力測定部５により射出された赤外光は、ダイクロイックミラー４を透過し、さらに被訓練眼０の水晶体を透過して、眼底で反射する。そして、被訓練眼０の眼底からの反射光は、水晶体を再び透過し、さらにダイクロイックミラー４を透過して屈折力測定部５に入射する。屈折力測定部５は、この反射光をもとに、被訓練眼０の屈折力を測定する。このようにして測定される屈折力は、被訓練眼０の状態（水晶体の厚みなど）に応じて変化する。また、被訓練眼０の状態は、被訓練眼０が目視する対象に応じて変化する。すなわち、屈折力は、被訓練眼０を基準とした、被訓練眼０が目視する対象の位置に応じて変化する。
【００１３】
なお、被訓練眼０の屈折力は、被訓練眼０が表示器２を目視可能な範囲内で、凸レンズ６を用いない場合の被訓練眼０を基準とした表示器２の位置に置き換えることができる。例えば、屈折力３．３ディオプター（Ｄｐ）は、被訓練眼０を基準として、約３０ｃｍ離れた表示器２の位置を示す。さらに、被訓練眼０を基準として、約３０ｃｍ離れた表示器２の位置は、３．３Ｄｐと表すことができる。また、屈折力測定部５は、屈折力の測定精度を上げるために、図１に示すように、被訓練眼０の正面に配置される。
【００１４】
眼機能訓練装置１は、以上説明した表示器２、ダイクロイックミラー４、屈折力測定部５、凸レンズ６、表示器移動機構７、モータ８を左右の被訓練眼用にそれぞれ備える。なお、制御部３は、眼機能訓練装置１に一つのみ設けられ、左右の各部（表示器２、屈折力測定部５、モータ８）に接続される。
なお、眼機能訓練装置１は、卓上などに置いて使用する型でも良いし、被訓練者の頭部に装着可能なヘッドマウント型などでも良い。また、手で把持する型などでも良い。
【００１５】
なお、表示器２、制御部３は、請求項の「画像表示部」に対応し、制御部３、表示器移動機構７、モータ８は、請求項の「移動部」に対応する。また、制御部３、屈折力測定部５は、請求項の「測定部」に対応し、制御部３は、請求項の「制御部」に対応する。
以上説明した構成の眼機能訓練装置１の動作について、図２のフローチャートを用いて説明を行う。なお、以下では、片側（右眼側）についてのみ説明を行う。眼機能訓練装置１は、左眼側についても、同様の動作を行う。
【００１６】
まず、制御部３は、表示器２に眼機能訓練用の画像を表示させる（ステップＳ１）。眼機能訓練用の画像とは、被訓練者が認知しやすく、しかも視線の定まりやすい位置（中心付近）に、視標（被訓練者の視線を集める対象）となる絵柄（例えば、飛行機、自動車など、前後移動可能なものの絵図）を含む画像である。なお、このような画像は、予め制御部３内の不図示のメモリに記録されている。
【００１７】
次に、制御部３は、屈折力測定部５を介して初期屈折力の測定を行う（ステップＳ２）。初期屈折力とは、眼機能訓練を行う前の被訓練眼０の屈折力であり、以下、この初期屈折力を「初期屈折力Ｄ0」と称する。初期屈折力Ｄ0は、屈折力を測定しながら、表示器２を被訓練眼０から遠方に移動させ、屈折力が変化しなくなったときの屈折力である。そして、制御部３は、測定した初期屈折力Ｄ0を、制御部３内の不図示のメモリに記録する。
【００１８】
次に、制御部３は、表示器２の移動を開始させて、眼機能訓練を開始する（ステップＳ３）。制御部３は、モータ８および表示器移動機構７を介して、被訓練眼０の光軸方向への表示器２の移動を開始する。以下では、表示器２の配置位置を説明する際に、被訓練眼０を基準とした表示器２位置を、屈折力を用いて表す。
制御部３は、表示器２を図３にしたがって移動させる。図３中の横軸は時間の経過を示し、縦軸は表示器２の配置位置を示す。縦軸のＤ0は、ステップＳ２で測定した初期屈折力Ｄ0により目視可能な位置Ｄ0を示す。
【００１９】
図３に示すように、制御部３は、表示器２を、位置Ｄ0を中心として、近方から遠方まで１Ｄｐの範囲を所定の周期（例えば、８秒）で光軸方向に往復移動させる。すなわち、往復移動の振幅は０．５Ｄｐになる。なお、振幅０．５Ｄｐは、被訓練眼０の毛様体筋を無理なく訓練させるのに適した範囲であり、予め定められる。また、所定の周期は、被訓練眼０の毛様体筋を訓練させるのに適した周期であり、前述した範囲に応じて予め定められる。これらは、これまでの経験上得られたデータである。
【００２０】
最も遠い位置（Ｄ0＋０．５Ｄｐ）に表示器２が配置されている場合、被訓練眼０の毛様体筋は弛緩する。また、最も近い位置（Ｄ0−０．５Ｄｐ）に表示器２が配置されている場合、被訓練眼０の毛様体筋は緊張する。したがって、眼機能訓練装置１は、前述した往復移動によって、被訓練眼０の毛様体筋の弛緩と緊張とを繰り返し促して、眼機能訓練を行う。
【００２１】
次に、制御部３は、屈折力測定部５による屈折力の測定を開始させる（ステップＳ４）。屈折力測定部５は、図３中の○印で示すタイミングで屈折力の測定を行う。○印で示すタイミングとは、表示器２が最も遠い位置（Ｄ0＋０．５Ｄｐ）に移動された時である。すなわち、屈折力測定部５は、前述した表示器２の移動の周期に同期した時間間隔（例えば、８秒）で繰り返し屈折力の測定を行う。そして、制御部３は、屈折力を測定するたびに、測定した屈折力を制御部３内の不図示のメモリに記録する。
【００２２】
次に、制御部３は、ステップＳ２で測定した初期屈折力Ｄ0よりも、訓練中に測定した屈折力の方が大きいか否かを判定する（ステップＳ５）。なお、制御部３は、前述した判定を、前述した表示器２の移動の周期に同期した時間間隔で行う。
訓練中に測定した屈折力の方が初期屈折力Ｄ0よりも大きい場合（ステップＳ５ＹＥＳ）、制御部３は、表示器２の往復移動の中心を遠方に変更させる（ステップＳ６）。一般に、被訓練眼０の屈折力は、眼機能が訓練されると、訓練開始前に比べて大きくなる傾向がある。したがって、眼機能訓練開始前の屈折力（初期屈折力Ｄ0）よりも、訓練中に測定した屈折力の方が大きい場合、眼機能訓練の効果が出ていると考えられるので、制御部３は、表示器２の往復移動の中心を遠方に変更させ、被訓練眼０にさらに負荷をかけた訓練を行う。制御部３は、図３の破線で示すように、表示器２の往復移動の中心をαＤｐだけ遠方に変更させる。このとき、往復移動の振幅は、０．５Ｄｐで変わらない。
【００２３】
一方、訓練中に測定した屈折力の方が初期屈折力Ｄ0よりも小さい場合（ステップＳ５ＮＯ）、制御部３は、表示器２の往復移動の中心を近方に変更させる（ステップＳ７）。一般に、被訓練眼０の屈折力は、眼機能訓練において眼疲労が発生すると、初期屈折力Ｄ0に比べて小さくなる傾向がある。したがって、初期屈折力Ｄ0よりも、訓練中に測定した屈折力の方が小さくなった場合は、眼疲労が発生し、眼機能訓練の効果が下がると考えられるので、制御部３は、ステップＳ６とは反対に、表示器２の往復移動の中心を近方にαＤｐ変更させ、被訓練眼０への負荷を減らした訓練を行う。
【００２４】
なお、ステップＳ６およびステップＳ７において、表示器２の往復移動の中心を変更させる際には、被訓練眼０が変化に対応しやすいように、中心を急に変化させずに、段階的に変化させるようにするのが好ましい。
そして、制御部３は、ステップＳ５〜ステップＳ７の動作を繰り返し、屈折力の測定を行うたびに、表示器２の往復移動の中心を変更させる。なお、ステップＳ５において、初期屈折力Ｄ0と、訓練中に測定した屈折力とが同じ値であった場合、制御部３は、表示器２の往復移動の中心の変更を行わない。また、以上説明した動作は、眼機能訓練装置１内の不図示のタイマーにより設定された時間が終了するまで続けられるものとする。
【００２５】
以上説明したように、第１実施形態によれば、被訓練眼０に対して画像を表示しつつ、表示器２を、被訓練眼０の光軸方向に往復移動させることにより眼機能訓練を行い、被訓練眼０の屈折力を測定して、測定した屈折力に基づいて、表示器２の往復移動の中心を変更させる。そのため、眼機能訓練の効果が出ている場合には、被訓練眼０にさらに負荷をかけた訓練を行い、眼疲労が発生している場合には、被訓練眼０への負荷を減らした訓練を行うというように、被訓練眼０の状態に合わせて、効果的な訓練を行うことができる。
【００２６】
また、第１実施形態では、ステップＳ５において、初期屈折力Ｄ0と訓練中に測定した屈折力とに基づいて、表示器２の往復移動の中心を変更させる例を示したが、訓練中に屈折力測定部５により繰り返し測定した屈折力に基づいて、変更させるようにしても良い。例えば、屈折力測定部５による２回の連続した測定により得られた屈折力を比較し、比較結果に基づいて、表示器２の往復移動の中心を変更させるようにしても良い。
【００２７】
また、第１実施形態において、表示器２の往復移動の中心を変更させる際に、どの程度変更させるか（第１実施形態ではαＤｐ）を、ステップＳ５で説明した初期屈折力Ｄ0と測定した屈折力との差分に応じて決定するようにしても良い。
《第２実施形態》
以下、図面を用いて本発明の第２実施形態について説明する。
【００２８】
第２実施形態の眼機能訓練装置１０は、第１実施形態で説明した眼機能訓練装置１とは表示器移動機構７およびモータ８の機構が異なり、そのほかの構成は同様である。したがって、以下では、第２実施形態の眼機能訓練装置１０の図示および構成の説明を省略し、第１実施形態と同様の符号を用いて説明を行う。
まず、第２実施形態の眼機能訓練装置１０の表示器移動機構７およびモータ８について説明する。第１実施形態の眼機能訓練装置１の表示器移動機構７は、表示器２を被訓練眼０の光軸方向に移動させた。一方、第２実施形態の眼機能訓練装置１０の表示器移動機構７およびモータ８は、表示器２を被訓練眼０の輻輳方向に移動させる。
【００２９】
ここで輻輳方向について説明する。図４（ａ）に示すように、遠くを目視する場合には眼の視軸（被訓練眼０の光軸）ｓは略平行になるが、図４（ｂ）に示すように、近くを目視する場合には両眼がそれぞれ内側に回転し、視軸ｓは平行に比べてお互いに内側に回転する。このような両眼の回転機能は輻輳機能と呼ばれ、両眼の回転量は輻輳角度θで表される。この輻輳機能を刺激することにより、眼機能訓練を行うことができる。そして、この回転方向に準ずる方向が輻輳方向である。輻輳方向は、被訓練眼０の左右方向と同じである。表示器２を輻輳方向にのみ移動させる場合、表示器移動機構７およびモータ８は、制御部３の指示にしたがって、図４（ａ）に示した矢印ｆの方向（被訓練眼の左右方向）に表示器２を移動させる。なお、図４（ａ）は、ダイクロイックミラー４の図示を省略し、表示器２の見かけの位置を図示したものである。
【００３０】
以上説明した構成の眼機能訓練装置１０の動作について、図５のフローチャートを用いて説明を行う。
まず、制御部３は、第１実施形態と同様に、表示器２に眼機能訓練用の画像を表示させる（ステップＳ１１）。
次に、制御部３は、表示器２の移動を開始させて、眼機能訓練を開始する（ステップＳ１２）。制御部３は、モータ８および表示器移動機構７を介して、被訓練眼０の輻輳方向への表示器２の移動を開始する。
【００３１】
制御部３は、表示器２を図６にしたがって移動させる。図６中の横軸は時間の経過を示し、縦軸は輻輳角度を示す。以下の説明では、表示器２が表示する画像の配置位置について説明する際、輻輳角度に着目して説明を行う。例えば、「表示器２を、輻輳角度Ｙの位置に移動させる」とは、「表示器２を、被訓練眼０の輻輳角度がＹになるような位置に移動させる」ことである。
【００３２】
図６に示すように、制御部３は、表示器２を、輻輳角度（θ0／２）の位置を中心として、０からθ0の範囲を所定の周期（例えば、８秒）で輻輳方向に往復移動させる。すなわち、往復移動の振幅は輻輳角度で表すと（θ0／２）になる。なお、最大の輻輳角度θ0は、被訓練眼０の輻輳機能を無理なく訓練させるのに適した角度である。このような視標の位置の変更によって、被訓練眼０の輻輳機能が刺激される。そして、眼機能訓練装置１０は、視標の位置の変更を繰り返し行うことにより、輻輳機能を刺激して眼機能訓練を行う。
【００３３】
そして、制御部３は、屈折力測定部５による屈折力の測定を開始させる（ステップＳ１３）。屈折力測定部５は、前述した視標の位置の変更の周期に同期した時間間隔（例えば、８／３２＝０．２秒）で繰り返し屈折力の測定を行う。そして、測定した屈折力を制御部３内の不図示のメモリに記録する。なお、屈折力の測定は、後述する屈折力変化量を求めるために、短い時間間隔で行う。
【００３４】
次に、制御部３は、その周期内に測定した屈折力の最大値と最小値との差を求め屈折力変化量とする。なお、制御部３は、このような屈折力変化量を、前述した視標の位置の変更の周期ごとに求め、制御部３内の不図示のメモリに記録しておく。そして、制御部３は、１つ前の周期における屈折力変化量よりも、現在の周期における屈折力変化量の方が大きいか否かを判定する（ステップＳ１４）。
【００３５】
現在の周期における屈折力変化量の方が大きい場合（ステップＳ１４ＹＥＳ）、制御部３は、表示器２の往復移動の振幅を、広くする方向に変更させる（ステップＳ１５）。一般に、被訓練眼０の屈折力変化量は、眼機能が訓練されると大きくなる傾向がある。したがって、１つ前の周期における屈折力変化量よりも、現在の周期における屈折力変化量の方が大きい場合、眼機能訓練の効果が出ていると考えられるので、制御部３は、表示器２の往復移動の振幅を広くする方向に変更させ、被訓練眼０にさらに負荷をかけた訓練を行う。制御部３は、図６の破線で示すように、表示器２の往復移動の振幅をβＤｐだけ広くする方向に変更させる。このとき、往復移動の中心は、変わらない。
【００３６】
一方、現在の周期における屈折力変化量の方が小さい場合（ステップＳ１４ＮＯ）、制御部３は、表示器２の往復移動の振幅を、狭くする方向に変更させる（ステップＳ１６）。一般に、被訓練眼０の屈折力変化量は、眼機能訓練において眼疲労が発生すると小さくなる傾向がある。したがって、１つ前の周期における屈折力変化量よりも、現在の周期における屈折力変化量の方が小さくなった場合は、眼疲労が発生し、眼機能訓練の効果が下がると考えられるので、制御部３は、ステップＳ１５とは反対に、表示器２の往復移動の振幅をβＤｐだけ狭くする方向に変更させ、被訓練眼０への負荷を減らした訓練を行う。
【００３７】
なお、ステップＳ１５およびステップＳ１６において、表示器２の往復移動の振幅を変更させる際には、被訓練眼０が変化に対応しやすいように、振幅を急に変化させずに、段階的に変化させるようにするのが好ましい。
そして、制御部３は、ステップＳ１４〜ステップＳ１６の動作を繰り返し、訓練中に屈折力の測定を行うたびに、表示器２の往復移動の振幅を変更させる。なお、ステップＳ１４において、現在の周期における屈折力変化量と、１つ前の周期における屈折力変化量とが同じ値であった場合、制御部３は、表示器２の往復移動の振幅の変更を行わない。また、以上説明した動作は、眼機能訓練装置１０内の不図示のタイマーにより設定された時間が終了するまで続けられるものとする。
【００３８】
以上説明したように、第２実施形態によれば、被訓練眼０に対して画像を表示しつつ、表示器２を、被訓練眼０の輻輳方向に往復移動させることにより眼機能訓練を行い、被訓練眼０の屈折力を測定して、測定した屈折力をもとに求めた屈折力変化量に基づいて、表示器２の往復移動の振幅を変更させる。そのため、眼機能訓練の効果が出ている場合には、被訓練眼０にさらに負荷をかけた訓練を行い、眼疲労が発生している場合には、被訓練眼０への負荷を減らした訓練を行うというように、被訓練眼０の状態に合わせて、効果的な訓練を行うことができる。
【００３９】
なお、第２実施形態では、表示器２を輻輳方向に移動させることにより、眼機能訓練を行う例を示したが、第１実施形態のように光軸方向に移動させることにより、眼機能訓練を行うようにしても良い。また、光軸方向と輻輳方向との両方に移動させるようにしても良い。なお、光軸方向と輻輳方向との両方に移動させる場合には、それぞれの方向の往復移動を同位相にすると良い。なお、第１実施形態についても、表示器２を輻輳方向に移動させるようにしても良いし、光軸方向と輻輳方向との両方に移動させるようにしても良い。
【００４０】
また、第２実施形態では、ステップＳ１４において、１つ前の周期における屈折力変化量と現在の周期における屈折力変化量とを比較する例を示したが、現在の周期における屈折力変化量と眼機能訓練が開始される前に求めた屈折力変化量とを比較するようにしても良い。このような比較を行うことにより、被訓練眼０に、より負荷をかけた訓練を行うことができる。さらに、予め定められた閾値と比較することにより、表示器２の往復移動の振幅を変更させるようにしても良い。
【００４１】
また、第２実施形態では、屈折力変化量に基づいて、表示器２の往復移動の振幅を変更させる例を示したが、第１実施形態のように、屈折力に基づいて、表示器２の往復移動の振幅を変更させるようにしても良いし、表示器２の往復移動の中心を変更させるようにしても良い。また、第１実施形態において、屈折力の代わりに屈折力変化量に基づいて、表示器２の往復移動の中心を変更させるようにしても良いし、往復移動の振幅を変更させるようにしても良い。
【００４２】
なお、第１実施形態および第２実施形態の眼機能訓練装置において、屈折力測定部５と、表示器２との位置を入れ換えるようにしても良い。すなわち、被訓練眼０の正面に表示器２を配置し、図１において表示器２が配置されている位置に屈折力測定部５を配置するようにしても良い。なお、この場合、表示器２にかかわる各部（凸レンズ６、表示器移動機構７、モータ８）も、被訓練眼０の正面に配置する。
【００４３】
また、第１実施形態では表示器２の往復移動の中心を変更させ、第２実施形態では表示器２の往復移動の振幅を変更させる例を示したが、さらに、表示器２の往復移動の速度を変更させるようにしても良い。例えば、眼機能訓練の効果が出ている場合には、被訓練眼０にさらに負荷をかけた訓練を行うために、表示器２の往復移動の速度を大きくするのが好ましい。一方、眼疲労が発生している場合には、被訓練眼０への負荷を減らした訓練を行う行うために、表示器２の往復移動の速度を小さくするのが好ましい。さらに、以上説明した表示器２の往復移動の中心、往復移動の振幅、往復移動の速度のうち少なくとも二つを組み合わせて変化させるようにしても良い。
【００４４】
また、第１実施形態および第２実施形態において、何らかの理由（被訓練者が一定時間以上眼を閉じている場合や、被訓練眼０にゴミが入った場合など）で屈折力測定が行うことができない場合には、被訓練者に対して通知を行い、訓練を終了するようにすると良い。
《第３実施形態》
以下、図面を用いて本発明の第３実施形態について説明する。
【００４５】
第３実施形態の眼機能訓練装置２０は、図７に示すように、第１実施形態で説明した眼機能訓練装置１の表示器移動機構７およびモータ８が省略され、さらに、操作部９を備えた構成である。また、眼機能訓練装置２０は、被訓練眼０の正面に凸レンズおよび表示器２を備える。また、操作部９は、ユーザの指示を受け付けるボタンやダイヤルなどからなる。操作部９の状態は、制御部３により検知される。
【００４６】
なお、表示器２、制御部３は、請求項の「画像表示部」に対応し、制御部３は、請求項の「画像変更部」および「制御部」に対応し、操作部９は、請求項の「受付部」に対応する。
第３実施形態の眼機能訓練装置２０は、第１実施形態および第２実施形態の眼機能訓練装置と異なり、表示器２の移動機構を持たない。その代わりに、第３実施形態の眼機能訓練装置２０は、表示器２が表示する眼機能訓練用の画像に含まれる視標の位置を変更させる（詳細は後述する）。眼機能訓練用の画像とは、被訓練者が認知しやすく、しかも視線の定まりやすい位置（中心付近）に、視標となる絵柄（例えば、飛行機、自動車など、前後移動可能なものの絵図）を含む画像である。この絵柄は、表示形態である形と明るさと色との少なくとも一つが特異なものが好ましい。このような画像は、制御部３内の不図示のメモリに予め記録されている。また、表示形態とは絵柄の表示位置や大きさを含んだ意味を有する。
【００４７】
以上説明した構成の眼機能訓練装置２０の動作について、図８のフローチャートを用いて説明を行う。
まず、制御部３は、表示器２に眼機能訓練用の画像を表示させる（ステップＳ２１）。
次に、制御部３は、表示器２が表示する画像における視標の位置の変更を開始させる（ステップＳ２２）。制御部３は、表示器２が表示する画像を第２実施形態で説明した図６にしたがって変更させる。図６中の横軸は時間の経過を示し、縦軸は輻輳角度を示す。以下の説明では、表示器２が表示する画像について説明する際、輻輳角度に着目して説明を行う。例えば、「表示器２に、輻輳角度Ｙの画像を表示させる」とは、「表示器２に、被訓練眼０の輻輳角度がＹになるような画像を表示させる」ことである。
【００４８】
図６において輻輳角度０の際に表示器２が表示する画像は、図９（ａ）に示すように、画像に含まれる視標ｂが画像の略中央に配置されている。
また、図６において輻輳角度最大（θ0）の際に表示器２が表示する画像は、図９（ｂ）に示すように、画像に含まれる視標ｂが画像の中央よりも長さｄだけ内側寄りに配置されている。
【００４９】
そして、制御部３は、表示器２が表示する画像を、図９（ａ）に示す画像から図９（ｂ）に示す画像に連続的に変更させる。このような変更により、表示器２が表示する画像における視標の位置が変更される。
図６に示すように、制御部３は、表示器２を、輻輳角度（θ0／２）の位置を中心として、０からθ0の範囲を所定の周期（例えば、８秒）で輻輳方向に往復移動させる。すなわち、往復移動の範囲は輻輳角度で表すと（θ0／２）になる。なお、最大の輻輳角度θ0は、被訓練眼０の輻輳機能を無理なく訓練させるのに適した角度である。このような視標の位置の変更によって、被訓練眼０の輻輳機能が刺激される。そして、眼機能訓練装置１０は、視標の位置の変更を繰り返し行うことにより、輻輳機能を刺激して眼機能訓練を行う。
【００５０】
そして、制御部３は、操作部９を介して、ユーザの指示を受け付けたか否かを判定する（ステップＳ２３）。ユーザの指示は操作部９を介して行われる。ユーザの指示は、表示器２が表示する画像における視標の位置の変更の範囲と、変更の範囲の中心と、変更の速度との何れか一つについて行われる。
制御部３は、ユーザの指示を受け付けるまで（ステップＳ２３ＹＥＳ）、眼機能訓練を継続し、ユーザの指示を受け付けると、ユーザの指示にしたがって、表示器２が表示する画像における視標の位置の変更の範囲と、変更の範囲の中心と、変更の速度との何れか一つを変更させる（ステップＳ２４）。このとき、制御部３は、ユーザの指示による変更の内容を履歴として、制御部３内の不図示のメモリに記録する。このような履歴を、後に読み出すことにより、同じ内容の訓練を繰り返し行うことができる。制御部３内の不図示のメモリは、請求項の「記録部」に対応する。
【００５１】
そして、制御部３は、ステップＳ２３〜ステップＳ２４の動作を繰り返し、ユーザの指示を受け付けるたびに、指示に応じた変更を行う。なお、以上説明した動作は、眼機能訓練装置１内の不図示のタイマーにより設定された時間が終了するまで続けられるものとする。
以上説明したように、第３実施形態によれば、視標（形と明るさと色との少なくとも一つが特異な絵柄）を含む画像を、被訓練眼０に対して表示しつつ、表示器２が表示する画像における視標の位置を、変更させることにより眼機能訓練を行い、被訓練眼０の屈折力を前述した周期に同期した時間間隔で繰り返し測定し、ユーザの指示を受け付けると、ユーザの指示にしたがって、視標の位置の変更の範囲と視標の位置の変更の範囲の中心と視標の位置の変更の速度との少なくとも一つを変更させる。そのため、被訓練眼０の状態に合わせて、効果的な訓練を行うことができる。なお、このような指標の位置の変更範囲と、指標の位置の変更の範囲の中心と、指標の位置の変更の速度も表示形態を意味する。
【００５２】
なお、第３実施形態では、表示器２が表示する画像における視標の位置を変更させることにより、訓練を行う例を示したが、視標の大きさを変更させるようにしても良い。視標の大きさを変更させることにより、表示器２を光軸方向に移動させる場合（第１実施形態参照）と同様の効果を得ることができる。また、視標の位置と大きさとの両方を変更させるようにしても良いし、さらに視標の形や明るさなどを変更させるようにしても良い。
【００５３】
また、第３実施形態では、表示器２が表示する画像における視標の位置を変更させることにより訓練を行う例を示したが、第１実施形態および第２実施形態のように、表示器２を光軸方向と輻輳方向との少なくとも一方に移動させることにより訓練を行うようにしても良い。
また、第３実施形態では、ステップＳ２３において、ユーザの指示を受け付けると視標の位置などを変更させる例を示したが、第１実施形態および第２実施形態のように、屈折力測定部５を備え、測定した屈折力に基づいて、視標の位置などを変化させるようにしても良い。
【図面の簡単な説明】
【００５４】
【図１】第１実施形態の眼機能訓練装置１の構成を示すブロック図である。
【図２】第１実施形態の眼機能訓練装置１の動作を示すフローチャートである。
【図３】第１実施形態の眼機能訓練装置１における表示器２の移動について説明する図である。
【図４】輻輳方向について説明する図である。
【図５】第２実施形態の眼機能訓練装置１０の動作を示すフローチャートである。
【図６】第２実施形態の眼機能訓練装置１０における画像の変更について説明する図である。
【図７】第３実施形態の眼機能訓練装置２０の構成を示すブロック図である。
【図８】第３実施形態の眼機能訓練装置２０の動作を示すフローチャートである。
【図９】第３実施形態の眼機能訓練装置２０における画像の変更について説明する図である。
【符号の説明】
【００５５】
１，１０，２０  眼機能訓練装置
２  表示器
３  制御部
４  ダイクロイックミラー
５  屈折力測定部
６  凸レンズ
７  表示器移動機構
８  モータ
９  操作部
０  被訓練眼
【図１】
2005198719.tif 000003
【図２】
2005198719.tif 000004
【図３】
2005198719.tif 000005
【図４】
2005198719.tif 000006
【図５】
2005198719.tif 000007
【図６】
2005198719.tif 000008
【図７】
2005198719.tif 000009
【図８】
2005198719.tif 000010
【図９】
2005198719.tif 000011